(57)【要約】【課題】洗浄効率の向上を図る。【解決手段】水洗式大便器Ａは、上縁部２３にリム通水路３３が形成された便鉢部１０と、便鉢部１０の上縁部２３に形成され、リム通水路３３に向けて洗浄水を吐出する第１吐水口３１（リム吐水口）と、便鉢部１０の底部に連通するように設けられた封水部１６と、リム通水路３３に形成され、第１吐水口３１から吐出された洗浄水を封水部１６へ向けて流下させるように誘導するガイド面３８とを備えている。【選択図】図１
2015190216.tif 000002
【特許請求の範囲】
【請求項１】
上縁部にリム通水路が形成された便鉢部と、
前記便鉢部の上縁部に形成され、前記リム通水路に向けて洗浄水を吐出するリム吐水口と、
前記便鉢部の底部に連通するように設けられた封水部と、
前記リム通水路に形成され、前記リム吐水口から吐出された洗浄水を前記封水部へ向けて流下させるように誘導するガイド面とを備えていることを特徴とする水洗式大便器。
【請求項２】
平面視において、前記封水部の入口となる溜水部の中心が前記便鉢部の前後方向中央よりも後方に配置されており、
前記ガイド面が、前記便鉢部の前後方向中央よりも後方に配置されていることを特徴とする請求項１記載の水洗式大便器。
【請求項３】
前記便鉢部の上縁部に、前記リム通水路に沿うように洗浄水を吐出する第２の吐水口が形成され、
前記第２の吐水口から吐出された洗浄水の一部が、前記便鉢部の内面を旋回しながら前記封水部内に流入するようになっていることを特徴とする請求項１又は請求項２記載の水洗式大便器。
【請求項４】
前記第２の吐水口から吐出された洗浄水の一部が、前記リム吐水口から吐出された洗浄水と合流することにより、前記封水部に向けて誘導されるようになっていることを特徴とする請求項３記載の水洗式大便器。
【発明の詳細な説明】
【技術分野】
【０００１】
本発明は、水洗式大便器に関する。
【背景技術】
【０００２】
特許文献１には、便鉢部の上縁部においてリム吐水口からリム通水路へ吐出した洗浄水により、便鉢部内を洗浄する水洗式大便器が開示されている。この水洗式大便器には、洗浄効率を高める手段として、リム吐水口を構成する外壁面にガイド部を形成し、このガイド部により、リム吐水口から吐出される洗浄水の一部を、封水部に向かう下降流に転向させるようになっている。
【先行技術文献】
【特許文献】
【０００３】
【特許文献１】特開２０１３−１７０３９６号公報
【発明の概要】
【発明が解決しようとする課題】
【０００４】
上記の水洗式大便器は、洗浄水を封水部側へ転向させるためのガイド部が、リム吐水口に配され、リム吐水口の口径を下流側（吐水方向前方）に向かって急激に狭めるように角度を付けて傾斜した形態となっている。そのため、洗浄水が、リム吐水口を通過する際に、流量を絞られたり乱流となったりする虞がある。流量の低下や流れの乱れは、洗浄水の吐水の勢いを減衰させる原因となるため、封水部へ洗浄水を誘導しても、洗浄効率の向上効果を十分に期待することはできない。
【０００５】
本発明は、上記従来の実情に鑑みてなされたものであって、洗浄効率の向上を図ることを解決すべき課題としている。
【課題を解決するための手段】
【０００６】
本発明の水洗式大便器は、
上縁部にリム通水路が形成された便鉢部と、
前記便鉢部の上縁部に形成され、前記リム通水路に向けて洗浄水を吐出するリム吐水口と、
前記便鉢部の底部に連通するように設けられた封水部と、
前記リム通水路に形成され、前記リム吐水口から吐出された洗浄水を前記封水部へ向けて流下させるように誘導するガイド面とを備えていることを特徴とする。
【発明の効果】
【０００７】
ガイド面は、リム吐水口を通過する洗浄水の流動方向において、リム吐水口よりも下流側に配置されている。したがって、リム吐水口を通過する洗浄水は、ガイド面によって乱流になったり流量が低下したりすることがなく、層流状のまま十分な流量と勢いを保った状態でリム吐水口から吐出され、ガイド面により封水部へ誘導される。このように、本発明によれば、洗浄効率の向上を図ることができる。
【図面の簡単な説明】
【０００８】
【図１】実施例１の水洗式大便器の平断面図
【図２】水洗式大便器の側断面図
【図３】実施例２の水洗式大便器の平断面図
【図４】水洗式大便器の側断面図
【発明を実施するための形態】
【０００９】
（１）本発明の水洗式大便器は、平面視において、前記封水部の入口となる溜水部の中心が前記便鉢部の前後方向中央よりも後方に配置されており、前記ガイド面が、前記便鉢部の前後方向中央よりも後方に配置されていてもよい。この構成によれば、ガイド面が前後方向に関して溜水部に近い位置に配置されているので、洗浄水を封水部へ効果的に誘導することができる。
【００１０】
（２）本発明の水洗式大便器は、前記便鉢部の上縁部に、前記リム通水路に沿うように洗浄水を吐出する第２の吐水口が形成され、前記第２の吐水口から吐出された洗浄水の一部が、前記便鉢部の内面を旋回しながら前記封水部内に流入するようになっていてもよい。この構成によれば、便鉢部の内面を洗浄する機能と、便鉢部内を旋回する洗浄水を封水部へ誘導する機能を、第２の吐水口とリム吐水口とで分担したので、双方の機能を高いレベルで発揮させることができる。
【００１１】
（３）本発明の水洗式大便器は、（２）において、前記第２の吐水口から吐出された洗浄水の一部が、前記リム吐水口から吐出された洗浄水と合流することにより、前記封水部に向けて誘導されるようになっていてもよい。この構成によれば、ガイド面によって封水部に向かう洗浄水の流れを、増強することができる。
【００１２】
＜実施例１＞
以下、本発明を具体化した実施例１を図１〜図２を参照して説明する。尚、以下の説明において、前後方向に関しては、図１における下側及び図２における右側を前側と定義する。また、左右方向に関しては、図１にあらわれる向きを、そのまま左側及び右側と定義する。
【００１３】
本実施例１の水洗式大便器Ａは、図２に示すように、上面が開放された形態であって内面が汚物（図示省略）を受け止めるための略擂鉢状の鉢面１１となっている便鉢部１０と、排水路１２と、封水部１６と、給水部１７とを備えて構成されている。便鉢部１０の上縁部２３には、第１吐水口３１（請求項に記載のリム吐水口）と、第２吐水口３２（請求項に記載の第２の吐水口）と、リム通水路３３と、ガイド面３８とが形成されている。
【００１４】
＜排水路１２及び封水部１６＞
排水路１２は、便鉢部１０内の汚物を洗浄水（図示省略）と一緒に排出するものであり、便鉢部１０の下端部を構成する溜水部１３に連なる上昇路１４と、上昇路１４の下流端（上端）に連なる後向き流路１５とを備えて構成されている。後向き流路１５は、トイレの壁面に設けた排水管（図示省略）に接続されている。封水部１６は、上昇路１４と溜水部１３とによって構成されている。溜水部１３は封水部１６の入口となる。
【００１５】
排水路１２と封水部１６は、左右対称であり、便鉢部１０の左右方向（幅方向）における中央に配置されている。また、封水部１６の入口（溜水部１３）は、便鉢部１０の前後方向における中央よりも後方に偏った位置に配置されている。封水部１６が水封された状態では、洗浄水が溜水として溜水部１３と上昇路１４に貯留される。鉢面１１で受け止められた汚物は、鉢面１１に沿って旋回又は流下する洗浄水とともに、封水部１６と排水路１２を通って排出されるようになっている。
【００１６】
＜給水部１７＞
給水部１７は、便鉢部１０に洗浄水を供給するためのものであり、便鉢部１０の上面部後方に隣接して配置されている。図１に示すように、給水部１７は、給水口（図示省略）に連通するように形成された後部空間１８と、後部空間１８から斜め右前方へ延びるように形成された第１給水路１９Ｒと、後部空間１８から斜め左前方へ延びるように形成された第２給水路１９Ｌとを備えて構成されている。
【００１７】
給水部１７には、ディストリビュータ２０が設けられている。ディストリビュータ２０は、基端部２１と、基端部２１から斜め右前方へ片持ち状に延出した第１ホース２２Ｒと、基端部２１から斜め左前方へ片持ち状に延出した第２ホース２２Ｌとを備えて構成されている。基端部２１は、後部空間１８内に収容され、後部空間１８の上方に設けた給水口に接続されている。第１ホース２２Ｒは第１給水路１９Ｒ内に収容され、第２ホース２２Ｌは第２給水路１９Ｌ内に収容されている。給水口から基端部２１に供給された洗浄水は、第１ホース２２Ｒと第２ホース２２Ｌとに分岐されて下流側（前方）へ流れるようになっている。
【００１８】
＜便鉢部１０の上縁部２３＞
図１に示すように、便鉢部１０の上面の開口部の平面形状は、長尺軸を前後方向に向けた略楕円形をなしている。便鉢部１０の略楕円形をなす上縁部２３（上面の開口縁部）は、略半円弧形をなす前縁部２４と、前縁部２４の右端から後方へ延びた右側縁部２５Ｒと、前縁部２４の左端から後方へ延びた左側縁部２５Ｌとを備えている。便鉢部１０の上縁部２３は、更に、右側縁部２５Ｒの後端から斜め左後方へ弧状に延びた右内壁部２６Ｒと、左側縁部２５Ｌの後端部よりも内側位置（右方位置）を起点として斜め右後方へ弧状に延びた左内壁部２６Ｌと、左内壁部２６Ｌの後端（右端）から右方へ延びた後内壁部２７とを備えている。後内壁部２７の右端側部分は、右内壁部２６Ｒの後端部に対し後方から間隔を空けて対向するように配置されている。
【００１９】
＜第１吐水口３１＞
便鉢部１０の上縁部２３のうち右後側領域においては、右側縁部２５Ｒと右内壁部２６Ｒと後内壁部２７の右端側部分とによって区画された第１吐水路２８Ｒが形成されている。第１吐水路２８Ｒの平面形状は、斜め右前方に向かって尖った三角形をなしている。第１吐水路２８Ｒの後端における右側部分は、第１吐水路２８Ｒの上流端となっていて、第１給水路１９Ｒの下流端に連なっている。
【００２０】
第１吐水路２８Ｒ内には、ディストリビュータ２０の第１ホース２２Ｒの下流端が臨んでいる。第１吐水路２８Ｒの後端部における左端部は、第１吐水路２８Ｒの下流端であって、左方（平面視における反時計回り方向）に向かって開口する第１吐水口３１となっている。第１ホース２２Ｒを通して第１吐水路２８Ｒ内へ供給された洗浄水は、第１吐水口３１から左方（リム通水路３３）へ吐出されるようになっている。
【００２１】
＜第２吐水口３２＞
便鉢部１０の上縁部２３のうち左後側領域においては、左側縁部２５Ｌの後端部と左内壁部２６Ｌの前端部とによって区画された第２吐水路２８Ｌが形成されている。平面視において、第２吐水路２８Ｌは前後方向に細長く延びている。第２吐水路２８Ｌの後端は、第２吐水路２８Ｌの上流端となっていて、第２給水路１９Ｌの下流端に連なっている。第２吐水路２８Ｌ内には、ディストリビュータ２０の第２ホース２２Ｌの下流端が臨んでいる。
【００２２】
第２吐水路２８Ｌの前端部は、第２吐水路２８Ｌの下流端であって、前方（第１吐水口３１と同じく平面視における反時計回り方向）に向かって開口する第２吐水口３２となっている。第２ホース２２Ｌを通して第２吐水路２８Ｌへ前向きに供給された洗浄水は、第２吐水口３２から前方（リム通水路３３）へ吐出されるようになっている。
【００２３】
＜リム通水路３３＞
便鉢部１０の上縁部２３には、その全周に亘って延びるようにリム通水路３３が形成されている。リム通水路３３は、前縁部２４の内周に沿った前縁流路３４と、右側縁部２５Ｒのうち右内壁部２６Ｒよりも前方の領域の内周に沿った右側縁流路３５Ｒと、左側縁部２５Ｌのうち左内壁部２６Ｌよりも前方の領域の内周に沿った左側縁流路３５Ｌと、右内壁部２６Ｒの内周に沿った右後縁流路３６Ｒと、左内壁部２６Ｌの内周に沿った左後縁流路３６Ｌと、後内壁部２７のうち右内壁部２６Ｒよりも左方の領域の内周に沿った後部流路３７とから構成されている。
【００２４】
第１吐水口３１から吐出された洗浄水の一部は、後部流路３７、左後縁流路３６Ｌ、左側縁流路３５Ｌ、前縁流路３４、右側縁流路３５Ｒ、右後縁流路３６Ｒを順に通過する経路で、平面視反時計回り方向に旋回するようになっている。第２吐水口３２から吐出された洗浄水は、左側縁流路３５Ｌ、前縁流路３４、右側縁流路３５Ｒ、右後縁流路３６Ｒ、後部流路３７、左後縁流路３６Ｌを順に通過する経路で、平面視反時計回り方向（第１吐水口３１から吐出された洗浄水と同じ向き）に旋回するようになっている。また、第２吐水口３２から吐出された洗浄水の一部は、第１吐水口３１から吐出されて後述するガイド面３８によって下向きに誘導された洗浄水と合流するようになっている。
【００２５】
＜ガイド面３８＞
また、第１吐水口３１から吐出された洗浄水の大部分は、封水部１６に向けて強制的に流下するように誘導されるようになっている。封水部１６に向けて洗浄水を誘導する手段として、リム通水路３３には、ガイド面３８が形成されている。ガイド面３８は、左内壁部２６Ｌの後端（右端）と、後内壁部２７の左端とを繋ぐように配置されている。つまり、ガイド面３８は、リム通水路３３における洗浄水の流動方向（つまり、鉢面１１における洗浄水の旋回方向における下流方向であり、平面視における反時計回り方向）において、第１吐水口３１に比較的近い位置に配置されている。換言すると、ガイド面３８は、第１吐水口３１よりも下流側であって、第２吐水口３２よりも上流側の位置に配置されている。
【００２６】
平面視において、ガイド面３８は、便鉢部１０の左右方向（幅方向）における中央部に配置されている。また、ガイド面３８は、便鉢部１０の後端部、つまり便鉢部１０の前後方向における中央よりも後方に偏った位置に配置されている。また、平面視において、ガイド面３８は、リム通水路３３を構成する後内壁部２７に対して鈍角状に連なっているとともに、リム通水路３３を構成する左内壁部２６Ｌに対しても鈍角状に連なっている。つまり、後内壁部２７の左端部と、ガイド面３８と、左内壁部２６Ｌの後端部は、平面視において段差状に連なっている。
【００２７】
このガイド面３８は、第１吐水口３１に対して真正面から対向する向きではなく、斜め右前方に面している。つまり、ガイド面３８は、平面視において、第１吐水口３１からの洗浄水の吐出方向に対して斜め方向を向いている。また、ガイド面３８は、便鉢部１０の幅方向中央を通る前後方向線（便鉢部１０及び封水部１６の中心と、ガイド面３８の中心とを結ぶ前後方向の直線）に対しても斜め方向を向いている。この向きの設定は、平面視において、第１吐水口３１からガイド面３８の中心に向かう仮想吐出方向線（図示省略）を設定し、その仮想吐出方向線が、ガイド面３８で反射した後、封水部１６の左側後部に向かうことを意味する。つまり、第１吐水口３１から吐出された洗浄水がガイド面３８に衝突したときに、その衝突した洗浄水が封水部１６に向かって誘導されることを意味する。
【００２８】
第１吐水口３１は、ガイド面３８に向かって洗浄水を衝突させるような向きに開口している。具体的には、第１吐水口３１の外周側の壁面を構成する後内壁部２７の左端部は、ガイド面３８に対し、鈍角をなして直接、連なっているので、後内壁部２７に沿って吐出された洗浄水は、ガイド面３８に確実に衝突する。また、第１吐水口３１の内周側の壁面を構成する右内壁部２６Ｒの左端部（後端部）は、その延長線（接線）がガイド面３８に向かうような向きとなっているので、右内壁部２６Ｒに沿って吐出された洗浄水も、ガイド面３８に確実に衝突する。
【００２９】
＜実施例１の作用及び効果＞
便鉢部１０内を洗浄する際には、第１吐水口３１から吐出された洗浄水のうちの少量と、第２吐水口３２からリム通水路３３に向けて吐出された洗浄水の大部分が、鉢面１１内を旋回しながら汚物を除去する。そして、旋回する洗浄水は、除去した汚物と一緒に封水部１６と排水路１２を通り、便鉢部１０外へ排出される。
【００３０】
また、第１吐水口３１からリム通水路３３に吐出された洗浄水の大部分は、直ぐにガイド面３８に衝突し、ガイド面３８の傾斜によって下向きに転向するように誘導され、封水部１６に向かう下向きの流れとなる。また、第２吐水口３２から吐出されて鉢面１１上で旋回する洗浄水の一部は、第１吐水口３１から吐出されてガイド面３８により下向きに誘導された洗浄水と合流することにより、下向きの流れとなる。このガイド面３８によって生成された下向きの洗浄水の勢いにより、鉢面１１に沿って旋回している洗浄水と汚物が、封水部１６内へ強制的に誘導される。
【００３１】
上述のように本実施例１の水洗式大便器Ａは、洗浄効率の向上を図ることを解決すべき課題としたものであり、上縁部２３にリム通水路３３が形成された便鉢部１０と、便鉢部１０の上縁部２３に形成され、リム通水路３３に向けて洗浄水を吐出する第１吐水口３１と、便鉢部１０の底部に連通するように設けられた封水部１６と、リム通水路３３に形成され、第１吐水口３１から吐出された洗浄水を封水部１６へ向けて流下させるように誘導するガイド面３８とを備えて構成されている。
【００３２】
ガイド面３８は、第１吐水口３１を通過する洗浄水の流動方向において、第１吐水口３１よりも下流側に配置されている。したがって、第１吐水口３１を通過する洗浄水は、ガイド面３８によって乱流になったり流量が低下したりすることがなく、層流状のまま十分な流量と勢いを保った状態で第１吐水口３１から吐出され、ガイド面３８により封水部１６へ誘導される。このように、本実施例１によれば、洗浄効率の向上を図ることができる。
【００３３】
また、水洗式大便器Ａは、平面視において、封水部１６の入口となる溜水部１３の中心が便鉢部１０の前後方向中央よりも後方に配置されている。そこで、ガイド面３８も、封水部１６の入口と同様、便鉢部１０の前後方向中央よりも後方に配置した。この構成によれば、前後方向に関してガイド面３８が封水部１６の入口に近い位置に配置されているので、洗浄水を封水部１６へ効果的に誘導することができる。
【００３４】
また、水洗式大便器Ａは、便鉢部１０の上縁部２３に、リム通水路３３に沿うように洗浄水を吐出する第２吐水口３２が形成されている。そして、第２吐水口３２から吐出された洗浄水の一部が、便鉢部１０の内面を旋回しながら封水部１６内に流入するようになっている。この構成によれば、便鉢部１０の内面を洗浄する機能と、便鉢部１０内を旋回する洗浄水を封水部１６へ誘導する機能とが、第２吐水口３２と第１吐水口３１とで分担されるので、双方の機能を高いレベルで発揮させることができる。
【００３５】
また、水洗式大便器Ａは、第２吐水口３２から吐出された洗浄水の一部が、第１吐水口３１から吐出されてガイド面３８により下向きに誘導された洗浄水と鉢面１１上で合流することにより、封水部１６に向けて下向きに誘導されるようになっている。したがって、第２吐水口３２から吐出された洗浄水が第１吐水口３１から吐出された洗浄水と合流しない場合に比べると、ガイド面３８によって封水部１６に向かう洗浄水の流れが、増強される。
【００３６】
＜実施例２＞
次に、本発明を具体化した実施例２を図３〜図４を参照して説明する。本実施例２の水洗式大便器Ｂは、排水路４０とガイド面４７を上記実施例１とは異なる構成としたものである。その他の構成については上記実施例１と同じであるため、同じ構成については、同一符号を付し、構造、作用及び効果の説明は省略する。
【００３７】
図４に示すように、本実施例２の排水路４０は、便鉢部１０の下端部を構成する溜水部４１に連なる上昇路４２と、上昇路４２の下流端（上端）に連なる下降路４３とを備えて構成されている。下降路４３は、トイレの床面に設けた排水管（図示省略）に接続されている。
【００３８】
図３に示すように、右内壁部４４Ｒの後端（左端）の位置は、実施例１の右内壁部３６Ｒの左端（後端）よりも右方（前方）の位置に設定されている。したがって、右内壁部４４Ｒの左端に配された第１吐水口４５（請求項に記載のリム吐水口）は、実施例１の第１吐水口３１よりも右方にずれた位置に配置されている。
【００３９】
左内壁部４４Ｌの後端（右端）の位置は、実施例１の左内壁部２６Ｌの後端（右端）よりも前方（左方）の位置に設定されている。後内壁部４６の左端の位置は、実施例１の後内壁部２７の左端よりも左方の位置に設定されている。したがって、左内壁部４４Ｌの後端（右端）と後内壁部４６の左端とを繋ぐように配されたガイド面４７は、平面視において、便鉢部１０の左右方向（幅方向）における中央部から左方（第１吐水口４５から遠ざかる方向）へ片寄った位置に配置されている。換言すると、ガイド面４７は、便鉢部１０の左右方向中央部から洗浄水の旋回方向における下流側（第１吐水口４５からの洗浄水の吐水方向前方）へ片寄った位置に配置されている。
【００４０】
また、平面視において、ガイド面４７は、リム通水路３３のうちガイド面４７よりも旋回方向上流側領域を構成する後内壁部４６に対し、略直角に連なっている。そして、平面視において、ガイド面４７は、リム通水路３３のうちガイド面４７よりも旋回方向下流側領域を構成する左内壁部４４Ｌの後端部に対し、鈍角状に連なっている。つまり、平面視において、ガイド面４７は、便鉢部１０の幅方向中央を通る前後方向線に対して略平行となるような向きとなっている。この向きの設定は、ガイド面４７が、第１吐水口４５からの洗浄水の吐出方向に対してはほぼ直角な向きであると同時に、封水部１６の入口（溜水部４１）の中心とガイド面４７の中心とを結ぶ直線（図示省略）に対しては斜めを向いていることを意味する。
【００４１】
本実施例２の水洗式大便器Ｂは、上縁部にリム通水路３３が形成された便鉢部１０と、便鉢部１０の上縁部２３に形成され、リム通水路に向けて洗浄水を吐出する第１吐水口４５と、便鉢部１０の底部に連通するように設けられた封水部１６と、リム通水路３３に形成され、第１吐水口４５から吐出された洗浄水を封水部１６へ向けて流下させるように誘導するガイド面４７とを備えている。
【００４２】
本実施例２の水洗式大便器Ｂにおいても、実施例１と同様、ガイド面４７が、第１吐水口４５を通過する洗浄水の流動方向において、第１吐水口４５よりも下流側に配置されている。したがって、第１吐水口４５を通過する洗浄水は、ガイド面４７によって乱流になったり流量が低下したりすることがなく、層流状のまま十分な流量と勢いを保った状態で第１吐水口４５から吐出され、ガイド面４７により封水部１６へ誘導される。このように、本実施例２によれば、洗浄効率の向上を図ることができる。
【００４３】
＜他の実施例＞
本発明は上記記述及び図面によって説明した実施例に限定されるものではなく、例えば次のような実施例も本発明の技術的範囲に含まれる。
（１）上記実施例１では、平面視において、ガイド面と、リム通水路を構成する壁面とを、鈍角状に連なる形態としたが、ガイド面とリム通水路を構成する壁面は、曲面状に滑らかに連続してもよく、略直角に連なってもよい。
（２）上記実施例２では、平面視において、ガイド面と、リム通水路のうちガイド面よりも上流側領域を構成する壁面とを、略直角に連なる形態としたが、ガイド面と、リム通水路のうちガイド面よりも上流側領域を構成する壁面は、曲面状に滑らかに連続してもよく、鈍角状に連なってもよい。
（３）上記実施例２では、平面視において、ガイド面と、リム通水路のうちガイド面よりも下流側領域を構成する壁面とを、鈍角状に連なる形態としたが、ガイド面と、リム通水路のうちガイド面よりも下流側領域を構成する壁面は、曲面状に滑らかに連続してもよく、略直角に連なってもよい。
（４）上記実施例１，２では、平面視において、ガイド面を、封水部の中心とガイド面の中心とを結ぶ直線に対して斜めに向けたが、ガイド面は、封水部の中心とガイド面の中心とを結ぶ直線と略平行に向けてもよい。
（５）上記実施例１では、平面視において、ガイド面を、便鉢部の幅方向中央を通る前後方向線に対して斜めに向けたが、ガイド面は、便鉢部の幅方向中央を通る前後方向線とほぼ平行に向けてもよい。
（６）上記実施例２では、平面視において、ガイド面を、便鉢部の幅方向中央を通る前後方向線と略平行に向けたが、ガイド面は、便鉢部の幅方向中央を通る前後方向線に対して斜めに向けてもよい。
（７）上記実施例１では、ガイド面を、便鉢部の幅方向における中央部に配置したが、ガイド面は、便鉢部の幅方向における中央部から左方（リム吐水口から遠ざかる方向）又は右方（リム吐水口に近づく方向）のいずれかへ片寄った位置に配置してもよい。
（８）上記実施例２では、ガイド面を、便鉢部の幅方向における中央部から左方（リム吐水口から遠ざかる方向）へ片寄った位置に配置したが、ガイド面は、便鉢部の幅方向における中央部から右方（リム吐水口に近づく方向）へ片寄った位置に配置してもよく、便鉢部の幅方向における中央部に配置してもよい。
（９）上記実施例１，２では、第２の吐水口（第２吐水口）から吐出された洗浄水の一部が、リム吐水口（第１吐水口）から吐出された洗浄水と鉢面上で合流するようにしたが、第２の吐水口（第２吐水口）から吐出された洗浄水の全体が、リム吐水口（第１吐水口）から吐出された洗浄水と合流せずに封水部側へ流出するようにしてもよい。
（１０）上記実施例１，２では、リム吐水口（第１吐水口）とは別に、便鉢部の内面を旋回しながら洗浄する洗浄水を吐出するための第２の吐水口（第２吐水口）を設けたが、吐水口を１つだけとし、この吐水口から吐出された洗浄水が大きく２つに分流され、一方の流れが、便鉢部の内面を旋回しながら洗浄と、他方の流れがガイド面に当接して封水部に向けて誘導されるようにしてもよい。
（１１）上記実施例１，２では、ガイド面に向けて洗浄水を吐出するリム吐水口（第１吐水口）の数を１つとしたが、複数のリム吐水口を設け、各リム吐水口と対応するように複数のガイド面を設けてもよい。
（１２）上記実施例１，２では、第２の吐水口（第２吐水口）の数を１つとしたが、第２の吐水口は、複数設けてもよい。
【符号の説明】
【００４４】
Ａ…水洗式大便器
Ｂ…水洗式大便器
１０…便鉢部
１３…溜水部（封水部の入口）
１６…封水部
２３…便鉢部の上縁部
３１…第１吐水口（リム吐水口）
３２…第２吐水口（第２の吐水口）
３３…リム通水路
３８…ガイド面
４１…溜水部（封水部の入口）
４５…第１吐水口（リム吐水口）
４７…ガイド面
【図１】
2015190216.tif 000003
【図２】
2015190216.tif 000004
【図３】
2015190216.tif 000005
【図４】
2015190216.tif 000006